(57)【要約】 【課題】  パチンコ機の側面に露出することがなく、また作業の邪魔になることもないパチンコ機の不正開放防止装置を提供する。【解決手段】パチンコ機の裏面後方に配設されたパチンコ機の不正開放防止装置であって、パチンコ機前面枠２の裏側に配設された玉タンク３を係止して前面枠２を開放不能にロックすることを特徴とする。不正開放防止装置４は、下向きに回動されたときに玉タンク３を係止して前面枠２を開放不能に保持する係止片５と、当該係止片５の回動を制止するためのプランジャ６１を有するソレノイド６とを備えたものとすることができる。【選択図】  図１
2010213814.tif 000002
【特許請求の範囲】
【請求項１】
パチンコ機の裏面後方に配設されたパチンコ機の不正開放防止装置であって、パチンコ機前面枠の裏側に配設された玉タンクを係止して前面枠を開放不能にロックすることを特徴とするパチンコ機の不正開放防止装置。
【請求項２】
下向きに回動されたときに玉タンクを係止して前面枠を開放不能にロックする係止片と、当該係止片の回動を制止するためのプランジャを有するソレノイドと、を備える請求項１に記載のパチンコ機の不正開放防止装置。
【請求項３】
遊技機島の島枠に固定されている請求項２に記載のパチンコ機の不正開放防止装置。
【発明の詳細な説明】
【技術分野】
【０００１】
本発明は、パチンコ機の前面枠が開放されて不正行為が働かれるのを防止するための、パチンコ機の不正開放防止装置に関するものである。
【背景技術】
【０００２】
パチンコ機においては、前面枠を開放して不正行為が働かれることがある。このような不正行為を防止する装置として特許文献１に記載されたワイヤロック式のものが市場に出回っている。特許文献１のパチンコ機においては、台枠（機枠、外枠）に開閉可能に前面枠（内枠）が軸着されており、この前面枠の裏側には、玉タンクの下方に基板ケースが配設されている。基板ケースには、ＲＯＭが内蔵されているので、不正行為者が、前面枠を開けてＲＯＭを交換するなどして大当たりの回数や出玉を増大させたりする不正行為が発生している。
【０００３】
そこで特許文献１のものは、チェーンやワイヤなどの索条が捲回されたリール巻取装置を台枠に設け、該リール巻取装置にリールの回転を制止する電動ロック機構を設けるとともに、索条の先端を遊技機の前面枠の裏側に掛止するようにしてある。前面枠を閉鎖して索条をリール巻取装置に巻き取ったときには、電動ロック機構の解除なしには索条を引き出すことができないので、前面枠を開放することはできない。
【０００４】
しかしながら、このワイヤロック式のものにおいては、索条が側面に露出しているので、この索条を切断して前面枠を開放し不正行為が働かれるといった事例が発生することがあることから、さらに信頼性の高いロック機構を備える不正開放防止装置が求められている。また、ワイヤロック式のものにおいては、索条が遊技機本体と前面枠との間に架け渡されているので、前面枠を開放して点検などの作業を行うときに作業の妨げになるという問題があった。なお、本明細書において前面枠とは、その前面にガラス窓枠を有し、裏面には玉タンクや玉整列レール、基板ケース等の遊技を行う主要機構が配設された内枠をいい、遊技領域の前面に取り付けられたガラス窓枠のみを指すものではない。前面枠を開いたときには、ガラス窓枠も一体に回動される。
【先行技術文献】
【特許文献】
【０００５】
【特許文献１】特許３０３９７７２号公報    （図１）
【発明の概要】
【発明が解決しようとする課題】
【０００６】
本発明は、上記した従来の問題点に鑑み、パチンコ機の側面に露出せず、且つ作業の邪魔になることもないパチンコ機の不正開放防止装置を提供することを課題とする。
【課題を解決するための手段】
【０００７】
上記の課題を解決するためになされた本発明に係るパチンコ機の不正開放防止装置は、パチンコ機の裏面後方に配設されたパチンコ機の不正開放防止装置であって、パチンコ機前面枠の裏側に配設された玉タンクを係止して前面枠を開放不能にロックすることを特徴とするものである。
【０００８】
上記した発明において、前記不正開放防止装置を、下向きに回動されたときに玉タンクを係止して前面枠を開放不能に保持する係止片と、当該係止片の回動を制止するための６プランジャを有するソレノイドとを備えたものとすることができる。また、不正開放防止装置を、遊技機島の島枠に固定することができる。
【発明の効果】
【０００９】
請求項１に係る本願発明は、パチンコ機の後方に不正開放防止装置が玉タンクを係止可能に配置することにより、不正開放防止装置の全体がパチンコ機の裏側に隠されているので、人が防止装置に直接触れることができない。よって不正な開放を確実に防止することができる。また、不正開放防止装置は、パチンコ機の裏側に配置されているので、作業の邪魔になることもない。
【００１０】
請求項２に係る本願発明は、ソレノイドを非通電としてプランジャが降下したときには、玉タンクの後方壁面を係止した係止片が回動不能にロックされるので、前面枠を開放することはできない。一方、ソレノイドを通電してプランジャを上昇させたときには、係止片が回動可能となるので、前面枠を開放してパチンコ機の点検などの作業を行うことができる。
【００１１】
請求項３に係る発明は、不正開放防止装置の取付けを特別な基台を設けることなく簡便に固定することができる。
【図面の簡単な説明】
【００１２】
【図１】不正開放防止装置が係止状態にあるパチンコ機の側面図である。
【図２】不正開放防止装置が係止解除状態にあるパチンコ機の側面図である。
【図３】不正開放防止装置の正面図である。
【図４】不正開放防止装置の平面図である。
【図５】不正開放防止装置の側面図である。
【発明を実施するための形態】
【００１３】
以下に、本発明の実施形態に付いて説明する。
図１は、本発明の不正開放防止装置が作動中の状態である。図１において、１はパチンコ機の台枠、２は台枠１にヒンジにより開閉可能に取り付けられた前面枠（内枠）であり、前面枠２の裏側には玉タンク３や基板ケース等の遊技を行うための主要機構が配設されている。パチンコ機の裏面後方で玉タンク３の上方には、不正開放防止装置４が配設されている。この不正開放防止装置４は、係止片５とソレノイド６とを備えている。
【００１４】
係止片５は、回転軸５１を中心に回動し、自由な状態では自重により垂直下方を向いている。係止片５は、先端に玉タンク３との係止部５２を有し、後端にソレノイド６のプランジャ６１との係合部５３を有している。
【００１５】
図１の状態において、係止片５は垂直下向きであって、先端の係止部５２は玉タンク３の内部に臨んでいて、玉タンク３の後部側面３１を係止している。ソレノイド６は非通電となっておりプランジャ６１は自重により下方に降下していて、係止片５の後端の係合部５３と係合している。係合部５３はプランジャ６１によりパチンコ機後方への回動を規制されているので、先端の係止部５２はパチンコ機前方への回動を規制されることとなる。したがって、前面枠２を前方に開放しようとしても、玉タンク２の後部側面３１が係止部５２に引っかかるので、玉タンク３を破損しない限り前面枠２を開放することはできない。玉タンク３は樹脂製の強固なものであるので、容易に破損されることはなく、よって不正な開放を確実に防止することができる。
【００１６】
一方、点検などで前面枠２を開放する必要が生じたときは、ソレノイド６を通電して、プランジャ６１を上方に吸引する。これによって、図２に示すように、プランジャ６１と係止片５の係合部５３との係合が解除されるので、係止片５は自由回転が可能となる。よって、前面枠２を開放しようとしたときには、玉タンク３の後方側面３１が係止片５を回動させて、前面枠２を開放することができる。
【００１７】
図３〜５に、本発明に係る不正開放防止装置を示す。図において、１１は基板部、１２は島枠などへの取付部であり、この取付部１２に、縦孔１３を備えた高さ調整板部１４が一体に形成されている。取付部１２は、遊技機島の構成部材である島枠にねじで固定することができるし、パチンコ機から後方に取付基台を延設して、この取付基台に固定することもできる。
【００１８】
高さ調整板部１４の左右両サイドに縦孔１３を貫通して蝶ねじ１５が取り付けられている。蝶ねじ１５に対して縦孔１３を上下にスライドさせることにより高さ調整板部１４を上下にずらして、玉タンクの高さに対応して係止片５の高さを調整することができる。基板部１１にはソレノイド６の取付け板１６が配設されており、この取付け板１６にプランジャ６１を備えたソレノイド６が固定されている。そして、ソレノイド６の下方には係止片５がボルト５１により軸着されている。プランジャ６１はケース１７内に収納されていて、ソレノイド６の通電により上下動されて、係止片５と係脱することができる。
【００１９】
即ち、プランジャ６１が降下したときには係止片５が回動不能にロックされるので、前面枠２を不正に開放することはできず、プランジャ６１が上昇されたときには係止片５が回動可能となるので、前面枠２を開放して点検などの作業を行うことができる。
【符号の説明】
【００２０】
１  台枠、２  前面枠、３  玉タンク、４  不正開放防止装置、５  係止片、６  ソレノイド、６１  プランジャ、
【図１】
2010213814.tif 000003
【図２】
2010213814.tif 000004
【図３】
2010213814.tif 000005
【図４】
2010213814.tif 000006
【図５】
2010213814.tif 000007